(57)【要約】【課題】安価に安全装置の作動状態をユーザに知らせる。【解決手段】外装体１０の内部に、モータ２９，３５Ａ，３５Ｂ，３８等の発熱部品またはヒータ３９等の加熱部品を含む負荷部品と、負荷部品を制御して所定の動作を実行するマイコン６５とを備え、スイッチ５７またはセンサ等の検出手段により所定の動作状態を検出して表示手段（ＬＥＤ６３）または報知手段によってユーザに知らせる機能を備えた家庭用電気製品において、検出手段およびマイコン６５に直列に電気接続され、温度に感応して通電状態を変化させる温度感応手段（温度ヒューズ３６）を外装体１０内に配設し、温度感応手段による通電状態に基づいた外装体１０内の異常昇温状態を表示手段または報知手段によってユーザに知らせる。【選択図】図１
2005241097.tif 000002
【特許請求の範囲】
【請求項１】
外装体の内部に、モータ等の発熱部品またはヒータ等の加熱部品を含む負荷部品と、該負荷部品を制御して所定の動作を実行するマイコンとを備え、スイッチまたはセンサ等の検出手段により所定の動作状態を検出して表示手段または報知手段によってユーザに知らせる機能を備えた家庭用電気製品において、
前記検出手段および前記マイコンに直列に電気接続され、温度に感応して通電状態を変化させる温度感応手段を前記外装体内に配設し、該温度感応手段による通電状態に基づいて前記外装体内の異常昇温状態を前記表示手段または報知手段によってユーザに知らせるようにしたことを特徴とする家庭用電気製品。
【請求項２】
前記温度感応手段を、前記発熱部品または加熱部品の近傍に配設したことを特徴とする請求項１に記載の家庭用電気製品。
【請求項３】
前記マイコンは、前記検出手段によって所定の動作状態を検出すると、更に前記負荷部品による所定の動作を停止するものであることを特徴とする請求項１または請求項２に記載の家庭用電気製品。
【発明の詳細な説明】
【技術分野】
【０００１】
本発明は、除湿機、加湿器、空気清浄機および食器洗い乾燥機等の家庭用電気製品に関するものである。
【背景技術】
【０００２】
この種の家庭用電気製品は、外装体の内部に、モータ等の発熱部品またはヒータ等の加熱部品を含む負荷部品と、該負荷部品を制御して所定の動作を実行するマイコンとを備えている。そして、スイッチまたはセンサ等の検出手段により所定の動作状態を検出し、その状態を表示手段または報知手段によってユーザに知らせる機能が搭載されている。
【０００３】
例えば、除湿機は、除湿した水を貯留するタンクを備え、該タンクの満水状態をフロートを用いたスイッチにより検出し、外装体に配設した表示手段によりタンクの満水状態をユーザに知らせるようにしている。また、加湿器は、加湿するための水を貯留したタンクを備え、タンク内の水が無くなった状態をフロートを用いたスイッチにより検出し、外装体に配設した表示手段によりタンクの給水状態をユーザに知らせるようにしている。また、空気清浄機は、循環供給する空気を清浄するフィルタを備え、該フィルタの目詰まり状態を通風量等を検出するセンサにより検出し、外装体に配設した表示手段によりフィルタの清掃時期をユーザに知らせるようにしている。また、食器洗い乾燥機は、流量センサにより水道からの水の給水の有無を検出したり、温度センサにより高温の水が給水されているか否かを検出し、水が給水されなかったり、高温の水が給水された場合には、その状態を報知手段によりユーザに知らせるようにしている。
【０００４】
一方、前記モータ等の発熱部品またはヒータ等の加熱部品を搭載した家庭用電気製品は、何らかの原因でいずれかの負荷部品が故障することにより、予め設定された正常な動作を実行できず、前記発熱部品または加熱部品の近傍が異常高温になることを防止するために、安全装置が搭載されている。この安全装置としては、温度ヒューズ等の温度感応手段が使用されている。この温度ヒューズは、前記発熱部品または加熱部品の近傍に配設されるとともに、商用電源と電源回路との間に電気的に接続され、予め設定された温度に昇温すると、溶断することにより商用電源からの通電を遮断し、全ての負荷部品の動作を完全に停止するように構成している。
【０００５】
この場合、ユーザは、商用電源に電源コードを接続しているのにも拘わらず、機器が何の動作もしないため、電源コードの断線、接続不良、停電および機器の故障等、何が原因で生じたのか理解できず、不信感を感じさせてしまうという問題がある。
【０００６】
このような、安全装置による機器の停止状態をユーザに知らせるようにした家庭用電気製品の先行技術文献情報としては次のものがある。
【０００７】
【特許文献１】特許第３４４４２６０号公報
【０００８】
この特許文献１には、家庭用電気製品の１つである炊飯器が記載されている。この炊飯器には、前記温度ヒューズを用いた安全装置が搭載されている。また、炊飯器は、ゼロクロス信号の有無によって商用電源との接続状態をマイコンで判断できるようにしている。さらに、この炊飯器にはバックアップ電源が搭載され、商用電源からの給電停止が生じたとき、バックアップ電源からの給電により温度ヒューズの溶断の有無を判断する給電停止時故障診断手段が配設されている。そして、商用電源との接続状態で、温度ヒューズが溶断していると判断されたときに、温度ヒューズ切れであることを故障表示手段で表示するように構成している。
【発明の開示】
【発明が解決しようとする課題】
【０００９】
しかしながら、特許文献１に記載の構成では、商用電源との接続状態を検出するゼロクロス回路、バックアップ電源および故障診断手段が必要であるため、コスト高になるという問題がある。
【００１０】
そこで、本発明では、安価に安全装置の作動状態をユーザに知らせることが可能な家庭用電気製品を提供することを課題とするものである。
【課題を解決するための手段】
【００１１】
前記課題を解決するため、本発明の家庭用電気製品は、外装体の内部に、モータ等の発熱部品またはヒータ等の加熱部品を含む負荷部品と、該負荷部品を制御して所定の動作を実行するマイコンとを備え、スイッチまたはセンサ等の検出手段により所定の動作状態を検出して表示手段または報知手段によってユーザに知らせる機能を備えた家庭用電気製品において、前記検出手段および前記マイコンに直列に電気接続され、温度に感応して通電状態を変化させる温度感応手段を前記外装体内に配設し、該温度感応手段による通電状態に基づいて前記外装体内の異常昇温状態を前記表示手段または報知手段によってユーザに知らせる構成としている。
【００１２】
ここで、「温度に感応して通電状態を変化させる温度感応手段」としては、通電を遮断する温度ヒューズおよびサーモスタットや、抵抗値の可変により通電量が変わるサーミスタ等が使用可能である。また、サーモスタットは、手動復帰型と自動復帰型の両方を含む。
【００１３】
この家庭用電気製品では、前記温度感応手段を、前記発熱部品または加熱部品の近傍に配設することが好ましい。
【００１４】
また、前記マイコンは、前記検出手段によって所定の動作状態を検出すると、更に前記負荷部品による所定の動作を停止するものであることが好ましい。
【発明の効果】
【００１５】
本発明の家庭用電気製品では、外装体内に安全装置を構成する温度感応手段を配設し、該温度感応手段を、検出手段およびマイコンに直列に電気接続しているため、温度感応手段による通電状態に基づいて、外装体内の異常昇温状態を、既存の表示手段または報知手段によってユーザに知らせることができる。即ち、温度感応手段を電気的に接続する回路構成を変更するだけで、安価に実施することができる。
【発明を実施するための最良の形態】
【００１６】
以下、本発明の実施の形態を図面に従って説明する。
【００１７】
図１は、本発明の実施形態に係る家庭用電気製品の安全装置を示し、図２は、この安全装置を搭載する家庭用電気製品である除湿機を示す。まず、この除湿機の具体的な構成について説明する。
【００１８】
この除湿機は、図２に示すように、外装体１０の内部に、発熱部品であるモータ２９，３５Ａ，３５Ｂ，３８および加熱部品である加熱ヒータ３９を含む複数の負荷部品と、これら負荷部品を制御して除湿動作を実行するマイコン６５とを備えている。また、検出手段である第２マイクロスイッチ５７によりタンク５２の満水状態を検出して表示手段（第４ＬＥＤ６３）によってユーザに知らせる機能と、外装体１０内が異常昇温状態で動作し続けることを防止する安全機能とが搭載されている。
【００１９】
具体的には、除湿機は、大略、矩形状をなす外装体１０の内部を実線矢印で示す除湿通路１１と破線矢印で示す再生通路１２とに区画し、その内部に、除湿ロータ２８と、室内空気循環ファン３４Ａ，３４Ｂと、再生空気循環ファン３７と、加熱ヒータ３９と、熱交換器４２とを水平に配設するとともに、下部にタンク５２を配設したものである。
【００２０】
前記外装体１０は、図３（Ａ），（Ｂ）に示すように、基枠１３の前後に前カバー１４と後カバー１５とを配設したものである。前記前カバー１４の上部にはルーバー１６を備えた排気口１７が形成されている。前記後カバー１５には、垂直方向に延びる複数のスリットからなる吸気口１８が形成されている。また、外装体１０には、前記基枠１３にカバー１４，１５を組み付けることにより、その下部にタンク収容室１９が形成される。
【００２１】
前記基枠１３の前面側には、図４に示すように、一対のインボリュート通路を構成する壁を備えた室内空気循環ファン配設部２０Ａ，２０Ｂと、再生空気循環ファン配設部２１と、該再生空気循環ファン配設部２１から加熱ヒータ配設部２４にかけて延びるダクト部２２とが設けられている。このダクト部２２は、断面凹字形状の溝からなり、この溝に内嵌する逆凹字形状のダクトカバー２３を配設することにより再生通路１２の一部を構成する。また、本実施形態のダクトカバー２３の上面には、前記室内空気循環ファン配設部２０Ａのインボリュート通路の一部を構成する壁が立設されている。
【００２２】
また、基枠１３の後面側には、図５および図６に示すように、加熱ヒータ配設部２４と、除湿ロータ配設部２５と、前記再生空気循環ファン配設部２１に連通する円筒状のダクト２６とが設けられている。前記加熱ヒータ配設部２４は、前記ダクト部２２と連通している。除湿ロータ配設部２５は、後述する除湿ロータ２８の保持部材３１の下端縁より肉厚の周壁２７の上面に、ガイド用の凹溝を設けたものである。
【００２３】
なお、前記再生通路１２は、再生空気循環ファン配設部２１、該配設部と連通したダクト部２２、該ダクト部２２と連通した加熱ヒータ配設部２４、該配設部２４と対応するように除湿ロータ２８の反対側に配設したローターカバー５０、および、該ローターカバー５０に接続するとともに前記再生空気循環ファン配設部２１に接続する熱交換器４２により構成される。そして、この区画された再生通路１２および前記タンク収容室１９を除く外装体１０内が、前記除湿ロータ２８を介して吸気口１８と排気口１７とを連通させる除湿通路１１を構成する。
【００２４】
前記除湿ロータ２８は、その約３／４が除湿通路１１内に位置し、約１／４が再生通路１２内に位置するように、前記両通路１１，１２に跨って駆動モータ２９により回転可能に配設した円板状のものである。具体的には、この除湿ロータ２８は、図６に示すように、ゼオライトまたはシリカゲルを結合させたメッシュ状のセラミックハニカムからなるロータ本体３０を、樹脂製の保持部材３１によって保持させたものである。この保持部材３１の外周部には、駆動モータ２９の出力軸に配設した歯車に噛み合う複数の凸状歯３２が設けられている。本実施形態では、３０度間隔をもって位置する１２個の凸状歯３２を更に端部に向けて延ばし、駆動モータ２９の故障によるロータロック状態を検出する第１マイクロスイッチ３３の接点を押圧する作動部３２ａを設けている。
【００２５】
前記室内空気循環ファン３４Ａ，３４Ｂは、前記除湿通路１１内において、室内空気循環ファン配設部２０Ａ，２０Ｂに配設される一対のシロッコファンで構成され、それぞれモータ３５Ａ，３５Ｂの駆動により回転する。これにより、図２に実線の矢印で示すように、後カバー１５の吸気口１８から室内の空気を吸引し、前記除湿ロータ２８によって除湿した乾燥空気を前カバー１４の排気口１７から室内に循環供給するものである。
【００２６】
なお、本実施形態では、第１の室内空気循環ファン３４Ａのモータ３５Ａは、回転が早い「強」運転と、回転が遅い「弱」運転とが可能な変速機能を有するものを用いている。また、第２の室内空気循環ファン３４Ｂのモータ３５Ｂは、回転が早い「強」運転のみが可能なものを用いている。そして、ユーザが「静音」運転を選択すると、前記室内空気循環ファン３４Ａを「弱」運転させるとともに、室内空気循環ファン３４Ｂを停止させる。また、ユーザが「標準」運転を選択すると、前記室内空気循環ファン３４Ａを「弱」運転させるとともに、室内空気循環ファン３４Ｂを「強」運転させる。また、ユーザが「強」運転を選択すると、前記室内空気循環ファン３４Ａを「強」運転させるとともに、室内空気循環ファン３４Ｂを「強」運転させるように構成している。
【００２７】
即ち、本実施形態の除湿機は、一方の室内空気循環ファン３４Ａは、除湿動作の実行中はいずれの設定であっても常に動作するように構成されている。そして、発熱部品の近傍であるこの室内空気循環ファン３４Ａの室内空気循環ファン配設部２０Ａには、該室内空気循環ファン３４Ａのモータ故障による異常昇温に感応する温度ヒューズ３６が配設されている。
【００２８】
前記再生空気循環ファン３７は、前記再生通路１２内において、前記再生空気循環ファン配設部２１に配設され、モータ３８の駆動により回転する。これにより、図２に破線の矢印で示すように、再生通路１２内の再生空気を、ダクト部２２を介して加熱ヒータ３９のヒータケース４０内に供給し、除湿ロータ２８、および、熱交換器４２の順で循環させるものである。
【００２９】
前記加熱ヒータ３９は、前記除湿ロータ２８の前方に配設され、後述する制御基板６４からの供給電力により発熱し、再生空気および除湿ロータ２８を加熱するものである。この加熱ヒータ３９は、連続した１巻きのコイルからなり、前記再生通路１２を構成するヒータケース４０を介して前記加熱ヒータ配設部２４に配設される。この加熱ヒータ配設部２４において、除湿ロータ２８の回転方向前側には、加熱ヒータ３９をオン、オフ制御するとともに、再生空気循環ファン３７のモータ故障による異常昇温に感応するサーミスタ４１が配設されている。
【００３０】
前記熱交換器４２は、前記除湿通路１１内において、前記除湿ロータ２８の背面側に配設されるとともに前記再生通路１２の一部を構成するもので、図７（Ａ），（Ｂ）に示すように、真空成形または圧空成形により形成した一対のパネル４３Ａ，４３Ｂを溶着した樹脂製のものである。各パネル４３Ａ，４３Ｂは、互いに対称に位置する複数の仕切用凹条４４Ａ，４４Ｂを備え、これら仕切用凹条４４Ａ，４４Ｂを除く部位により再生空気を通過させる複数の流路４５が形成されている。また、一方のパネル４３Ａには、扇形状の流入口４６と、基枠１３のダクト２６と対応する円形状の流出口４７と、結露水をタンク５２に排水するためのドレン部４８とが設けられている。さらに、貼り合わされた仕切用凹条４４Ａ，４４Ｂの部位には、吸引した空気を流通させるための通孔４９が設けられている。なお、本実施形態では、前記流入口４６は、前記除湿ロータ２８において、加熱ヒータ３９を収容するヒータケース４０と反対面に配設されるローターカバー５０に形成した接続部５１に接続されるように構成している。
【００３１】
前記タンク５２は、図３（Ｂ）に示すように、上面開口の箱体形状をなし、その内部には満水状態を検出するためのフロート部材５３が回動可能に配設されている。このフロート部材５３は、タンク５２内の水位が上昇すると、下部のフロート部５３ａが浮き上がることにより全体が回動する。
【００３２】
なお、前記タンク収容室１９には、上端開口の箱体形状をなすサブタンク５４が配設されている。このサブタンク５４には、水平方向に移動可能な弁５５が配設されている。この弁５５は、スプリングによって常閉状態を維持するように構成されており、タンク５２を装着することにより前記フロート部材５３が当接して開弁する。そして、タンク５２内の水位が上昇してフロート部材５３が回動することにより弁５５の押圧が解除され、閉弁するように構成している。前記弁５５には、マイクロスイッチ動作部５６が設けられ、該マイクロスイッチ動作部５６によりサブタンク５４に隣接して配設した第２マイクロスイッチ５７をオンまたはオフするように構成している。
【００３３】
前記基枠１３の上側の表面には、図８に示す操作パネル５８が配設されている。この操作パネル５８は、上方からマイナスイオン発生装置をオンまたはオフさせるためのスイッチ５９Ａ、衣類乾燥コースのモードを選択するためのスイッチ５９Ｂ、除湿動作のモードを選択するためのスイッチ５９Ｃ、切タイマーを設定するためのスイッチ５９Ｄ、および、除湿機の運転をオンまたはオフさせるためのスイッチ５９Ｅが設けられている。
【００３４】
また、前記操作パネル５８において、前記スイッチ５９Ｂの上部には、衣類乾燥コースである夜干し、速乾および節電の３つのモードに対応する第１ＬＥＤ６０ａ，６０ｂ，６０ｃが設けられている。さらに、スイッチ５９Ｃの上部には、除湿動作である静音、標準および強の３つのモードに対応する第２ＬＥＤ６１ａ，６１ｂ，６１ｃが設けられている。さらにまた、スイッチ５９Ｄの上部には、切タイマーの設定時間である１（時間）、２（時間）、４（時間）および６（時間）に対応する第３ＬＥＤ６２ａ，６２ｂ，６２ｃ，６２ｄが設けられている。そして、スイッチ５９Ｅの下部には、タンク５２が装着されていない状態、または、タンク５２内が満水になった状態を示す第４ＬＥＤ６３が設けられている。
【００３５】
前記除湿機は、図１に示すように、マイコン６５を実装した制御基板６４を備えている。このマイコン６５は、商用電源に接続された電源回路６６で変換された直流電流の入力により動作し、電源のスイッチ５９Ｅがオン状態になり、外装体１０のタンク収容室１９にタンク５２がセットされ、かつ、満水状態でない場合に、前記除湿ロータ２８の駆動モータ２９、室内空気循環ファン３４Ａ，３４Ｂのモータ３５Ａ，３５Ｂ、再生空気循環ファン３７のモータ３８、および、加熱ヒータ３９に対して電力を通電して除湿動作を開始する。また、タンク５２内が満水状態になると、前記各構成部品への通電を停止して除湿動作を停止するものである。
【００３６】
前記タンク５２の未装着状態および満水状態は、前記第２マイクロスイッチ５７により検出する。この第２マイクロスイッチ５７は、タンク５２が未装着状態の場合には、第２マイクロスイッチ５７がオフ状態になるため、マイコン６５の接続ポートへの入力が無いことにより未装着状態を検出することができる。また、タンク５２が装着されると、第２マイクロスイッチ５７がオン状態となるため、マイコン６５はタンク５２の装着状態を検出することができる。さらに、タンク５２が装着され、かつ、除湿動作を実行している状態で、タンク５２が満水状態になると、前記フロート部材５３が回動することにより第２マイクロスイッチ５７がオフ状態となるため、満水状態を検出することができる。
【００３７】
前記除湿機の安全装置は、前記第１マイクロスイッチ３３、予め設定された温度に感応して通電状態を変化させる温度感応手段である前記温度ヒューズ３６およびサーミスタ４１により構成される。そのうち、本実施形態では、一旦異常昇温状態に感応すると、部品交換でしか復帰させることができない温度ヒューズ３６を、所定の動作であるタンク５２の満水状態を検出して第４ＬＥＤ６３に表示させるとともに除湿動作を停止するための検出手段である第２マイクロスイッチ５７およびマイコン６５に直列に電気接続している。
【００３８】
なお、マイコン６５と加熱ヒータ３９との間には、該加熱ヒータ３９をオン、オフ制御するためのリレー６７が配設されている。また、マイコン６５と各モータ２９，３５Ａ，３５Ｂ，３８との間には、これらをオン、オフ制御するためのトライアック６８が配設されている。なお、図１にはモータ３５Ａのみを図示している。
【００３９】
前記構成の安全装置を搭載した除湿機は、ユーザがスイッチ５９Ｅをオンするとともに、タンク収容室１９にタンク５２をセットし、また、スイッチ５９Ｂまたはスイッチ５９Ｃを操作して希望の除湿動作を選択すると、マイコン６５が、選択されたコースに応じた従来と同様の除湿動作を実行する。
【００４０】
この除湿動作中に、タンク５２内に除湿した水が満水になると、フロート部材５３の動作により第２マイクロスイッチ５７がオフ状態になる。そうすると、マイコン６５は、操作パネル５８の第４ＬＥＤ６３を点灯させた後、リレー６７を介して加熱ヒータ３９を停止するとともに、トライアック６８を介して各モータ２９，３５Ａ，３５Ｂ，３８をオフ状態として除湿動作を停止する。
【００４１】
ユーザが操作パネル５８の第４ＬＥＤ６３の点灯に気付き、満水状態となったタンク５２内の水を排水して再びタンク収容室１９にタンク５２を装着すると、マイコン６５は、操作パネル５８の第４ＬＥＤ６３を点灯させた後、再び動作可能な状態に復帰させる。
【００４２】
また、室内空気循環ファン３４Ａのモータ３５Ａがロックしたり、排気口１７が乾燥中の衣服により覆われたりすると、室内空気循環ファン配設部２０Ａの周囲が異常昇温状態となる。これにより、室内空気循環ファン配設部２０Ａに配設した温度ヒューズ３６が溶断し、第２マイクロスイッチ５７がオフした状態と同一の状態になる。その結果、マイコン６５は、前記と同様に、操作パネル５８の第４ＬＥＤ６３を点灯させた後、リレー６７を介して加熱ヒータ３９を停止するとともに、トライアック６８を介して各モータ２９，３５Ａ，３５Ｂ，３８をオフ状態として除湿動作を停止する。
【００４３】
ユーザが操作パネル５８の第４ＬＥＤ６３の点灯に気付き、前記と同様にタンク５２内の水を排水しようとすると、タンク５２内は未だ満水になっていないことを確認できる。そのため、ユーザは、何らかの原因で室内空気循環ファン３４Ａがロックしたか、外装体１０内が異常昇温状態になったため、温度ヒューズ３６が溶断し、除湿機自体が動作しない状態になったことを認識できる。
【００４４】
このように、本発明の構成では、安全装置を構成する温度感応手段である温度ヒューズ３６を、発熱部品であるモータ３５Ａの近傍に配設し、前記温度ヒューズ３６、既存の第２マイクロスイッチ５７およびマイコン６５に直列に接続している。そのため、安全機能の作動により機器を停止させた状態でもマイコン６５に電力が供給され、動作可能な状態であるため、既存の第４ＬＥＤ６３を動作させてユーザに認識させることができる。即ち、商用電源との接続状態を検出するためのゼロクロス回路やバックアップ電源等の回路を追加することなく、リード線による電気接続構成を変更するだけで、安価に実施することができる。
【００４５】
なお、本発明の家庭用電気製品は、前記実施形態の構成に限定されるものではなく、種々の変更が可能である。
【００４６】
例えば、前記実施形態では、発熱部品であるモータ３５Ａの異常昇温に感応し、その感応後も商用電源からの電力によりマイコン６５を動作可能としたが、図９に示すように、発火の可能性がある加熱部品である加熱ヒータ３９の近傍に異なる温度ヒューズ６９を配設するとともに、該温度ヒューズ６９を商用電源と電源回路６６との間に電気接続し、加熱ヒータ３９またはロータロック等の故障による異常昇温に感応した場合には、マイコン６５を含む全ての負荷部品を停止させてもよい。または、図１０に示すように、加熱部品である加熱ヒータ３９の近傍に温度ヒューズ３６を配設し、該温度ヒューズ３６を、検出手段である第２マイクロスイッチ５７およびマイコン６５と直列に接続してもよい。
【００４７】
また、前記実施形態では、所定の動作状態である満水状態の検出手段としてスイッチ５７を用い、温度に感応して通電状態を変化させる温度感応手段として温度ヒューズ３６を用いたが、検出手段は、水位センサ等のセンサであってもよく、温度感応手段は、手動復帰型および自動復帰型の両方を含むサーモスタットまたはサーミスタであってもよい。具体的には、前記実施形態では、スイッチ５７と温度ヒューズ３６との組み合わせにより構成したが、センサとサーミスタとの組み合わせは除き、スイッチ５７と手動復帰型サーモスタットとの組み合わせ、スイッチ５７と自動復帰型サーモスタットとの組み合わせ、スイッチ５７とサーミスタとの組み合わせでもよく、また、センサと温度ヒューズ３６との組み合わせ、センサと手動復帰型サーモスタットとの組み合わせ、センサと自動復帰型サーモスタットとの組み合わせであってもよい。
【００４８】
ここで、手動復帰型サーモスタットは、外装体１０を分解して作業者による手作業で復帰させる必要があるため、スイッチ５７と手動復帰型サーモスタットとの組み合わせの場合、前記実施形態と同様にメーカに修理を依頼する必要がある。そのため、前記実施形態と同様の作用および効果を得ることができる。
【００４９】
自動復帰型サーモスタットは、外装体１０内が冷却されることにより復帰するため、スイッチ５７と自動復帰型サーモスタットとの組み合わせの場合、メーカに修理を依頼する必要はない。しかし、機器を動作させる度に、タンク５２が満水状態でないにも拘わらず第４ＬＥＤ６３を表示させて停止することにより、ユーザに異常昇温状態を認識させることができる。
【００５０】
サーミスタは、温度に感応して抵抗値が変化することにより通電量を変化させるもので、マイコン６５は、前記実施形態のように通電が断たれるという変化は勿論、入力される通電量の変化も確実に検出できる。そして、スイッチ５７とサーミスタとの組み合わせの場合、スイッチ５７と自動復帰型サーモスタットとの組み合わせの場合と同様に、メーカに修理を依頼する必要はない。しかし、機器を動作させる度に、タンク５２が満水状態でないにも拘わらず第４ＬＥＤ６３を表示させて停止することにより、ユーザに異常昇温状態を認識させることができる。
【００５１】
センサは、その１つであるサーミスタと同様に、水位等の所定の状態を感知することにより抵抗値を変化させ、通電量を変化させるもので、マイコン６５は、その状態変化を確実に検出できる。そのため、センサと温度ヒューズ３６との組み合わせ、センサと手動復帰型サーモスタットとの組み合わせ、センサと自動復帰型サーモスタットとの組み合わせの場合、前記スイッチ５７とサーミスタとの組み合わせの場合と同様に検出が可能であり、ユーザに異常昇温状態を認識させることができる。
【００５２】
但し、センサとサーミスタとの組み合わせは、それぞれが抵抗値の変化により通電量を変化させるものであるため、マイコン６５が正確な状態を判断することができない。そのため、この組み合わせは好ましくない。
【００５３】
このように、所定の動作を検出する検出手段と、温度に感応して通電状態を変化させる温度感応手段とは、種々の変更および組み合わせが可能である。そして、温度感応手段を配置する部品もモータ等の発熱部品に限られず、ヒータ等の加熱部品であってもよい。
【００５４】
しかも、前記組み合わせのうち、検出手段および温度感応手段のいずれかをセンサにより構成した場合、即ち、スイッチ５７とサーミスタとの組み合わせ、センサと温度ヒューズ３６との組み合わせ、センサと手動復帰型サーモスタットとの組み合わせ、および、センサと自動復帰型サーモスタットとの組み合わせの場合、マイコン６５には、タンク５２の満水状態を検出した場合と、発熱部品または加熱部品に異常が生じた場合とで、異なる入力がなされるため、その違いを認識させることもできる。そのため、タンク５２が満水状態になった場合には、従来と同様に全ての負荷部品の動作を停止させ、発熱部品または加熱部品に異常が生じた場合には、異常が生じた発熱部品および加熱部品は停止させ、異常が生じていないファンを動作させ、外装体１０内を迅速に冷却させるように制御することもできる。
【００５５】
また、前記実施形態では、異常昇温状態をユーザに知らせる手段として第４ＬＥＤ６３からなる表示手段を用いたが、制御基板６４に実装した圧電ブザー等による報知手段を用いてもよい。即ち、ユーザに知らせるための表示手段が既存する場合にはその表示手段を使用し、ユーザに知らせるための表示手段が既存しない場合、および、ユーザに知らせるための既存の手段が報知手段である場合には、報知手段を使用することが好ましい。
【００５６】
さらに、前記実施形態では、本発明の安全装置を搭載する家庭用電気製品として除湿機を用いたが、加湿器、空気清浄機、食器洗い乾燥機等、発熱部品または加熱部品を搭載する機器であれば、同様に適用可能である。
【００５７】
ここで、加湿器に適用する場合、加湿した空気を供給するファンのモータの近傍に前記温度感応手段を配設し、該温度感応手段を、加湿するための水を貯留するタンク内の残水量を検出するスイッチおよびマイコン６５と直列に接続し、給水状態を表示する表示手段を用いてユーザに知らせる。
【００５８】
空気清浄機に適用する場合、清浄した空気を供給するファンのモータの近傍に前記温度感応手段を配設し、該温度感応手段を、フィルタの目詰まり状態を検出するセンサおよびマイコン６５と直列に接続し、フィルタの目詰まり状態を表示する表示手段を用いてユーザに知らせる。
【００５９】
食器洗い乾燥機に適用する場合、庫内に空気を供給するファンのモータまたは水や空気を加熱するヒータの近傍に前記温度感応手段を配設し、該温度感応手段を、水道からの水の給水の有無を検出したり、温度センサにより高温の水が給水されているか否かを検出するためのセンサおよびマイコン６５と直列に接続し、給水無しまたは高温水の供給状態を報知する報知手段を用いてユーザに知らせる。
【図面の簡単な説明】
【００６０】
【図１】本発明の家庭用電気製品の安全装置の構成を示すブロック図である。
【図２】家庭用電気製品である除湿機を示す概略図である。
【図３】（Ａ），（Ｂ）は除湿機の具体的構成を示す断面図である。
【図４】基枠の前面側の構成を示す分解斜視図である。
【図５】基枠の後面側の構成を示す背面図である。
【図６】除湿機の後面側の構成を示す分解斜視図である。
【図７】（Ａ）は熱交換器の正面図、（Ｂ）は（Ａ）の要部拡大断面図である。
【図８】操作パネルを示す正面図である。
【図９】家庭用電気製品の安全装置の変形例を示すブロック図である。
【図１０】家庭用電気製品の安全装置の他の変形例を示すブロック図である。
【符号の説明】
【００６１】
１０…外装体
２８…除湿ロータ
２９…駆動モータ（発熱部品）
３４Ａ，３４Ｂ…室内空気循環ファン
３５Ａ，３５Ｂ…モータ（発熱部品）
３６…温度ヒューズ（温度感応手段）
３７…再生空気循環ファン
３８…モータ（発熱部品）
３９…加熱ヒータ（加熱部品）
５７…第２マイクロスイッチ（検出手段）
６３…第４ＬＥＤ（表示手段）
６５…マイコン
【図１】
2005241097.tif 000003
【図２】
2005241097.tif 000004
【図３】
2005241097.tif 000005
【図４】
2005241097.tif 000006
【図５】
2005241097.tif 000007
【図６】
2005241097.tif 000008
【図７】
2005241097.tif 000009
【図８】
2005241097.tif 000010
【図９】
2005241097.tif 000011
【図１０】
2005241097.tif 000012